(57)【要約】      （修正有）【課題】取り外し可能な操作部の電力消費を低減し、操作性が向上した電子機器、装置および制御方法を提供すること。【解決手段】本体２００と、本体２００の遠隔操作が可能で、かつ本体２００からの取り外しが可能である操作部３００とを含む電子機器であって、操作部３００は、本体２００から取り外されたことを判定する取り外し判定部３１０と、操作部３００の姿勢を検出する傾き検出部３２０と、傾き検出部３２０が検出した操作部３００の姿勢に基づいて、操作部３００の傾き量を算出する傾き量算出部３３０と、操作部３００の傾き量とあらかじめ設定された閾値とを比較することによって、操作部３００をユーザが使用しているかを判定する閾値判定部３４０と、閾値判定部３４０が判定した結果、操作部３００の傾き量が閾値以上である場合に、操作部３００の電源の供給を制御する操作部電源制御部３６０とを含む。【選択図】図３
2018013907.tif 000002
【特許請求の範囲】
【請求項１】
本体と、前記本体の遠隔操作が可能で、かつ前記本体からの取り外しが可能である操作部とを含む電子機器であって、
前記操作部は、
前記本体から取り外されたことを判定する第１判定手段と、
前記操作部の姿勢を検出する第１検出手段と、
前記第１検出手段が検出した前記操作部の姿勢に基づいて、前記操作部の傾き量を算出する算出手段と、
前記操作部の傾き量と、あらかじめ設定された閾値とを比較することによって、前記操作部をユーザが使用しているかを判定する第２判定手段と、
前記第２判定手段が判定した結果、前記操作部の傾き量が、前記閾値以上である場合に、前記操作部の電源の供給を制御する制御手段と
を含む電子機器。
【請求項２】
前記制御手段は、
前記第２判定手段が判定した結果、前記操作部の傾き量が、前記閾値よりも小さい場合に、前記操作部の電源を遮断する、
請求項１に記載の電子機器。
【請求項３】
前記操作部は、
ユーザに情報を表示する表示手段と、
前記表示手段を調整する調整手段と
を含み、
前記調整手段は、
前記第２判定手段が判定した結果、前記操作部の傾き量が、前記閾値以上である場合に、前記表示手段のバックライトを点灯する、
請求項１に記載の電子機器。
【請求項４】
前記調整手段は、
前記第２判定手段が判定した結果、前記操作部の傾き量が、前記閾値よりも小さい場合に、前記表示手段のバックライトを消灯する、
請求項３に記載の電子機器。
【請求項５】
前記操作部は、
ユーザに情報を表示する表示手段と、
前記表示手段を調整する調整手段と、
該操作部の周囲の照度を検出する第２検出手段と
を含み、
前記調整手段は、
前記第２検出手段の検出結果に基づいて、前記表示手段の輝度を調整する、
請求項１に記載の電子機器。
【請求項６】
前記操作部は、
ユーザに情報を表示する表示手段と、
前記表示手段を調整する調整手段と、
該操作部の周囲の照度を検出する第２検出手段と
を含み、
前記調整手段は、
前記第２検出手段の検出結果に基づいて、前記表示手段の色味を調整する、
請求項１に記載の電子機器。
【請求項７】
前記操作部は、
該操作部を前記本体から取り外した場合に、該操作部の電力の供給源となる二次電池と、
前記二次電池を充電するための太陽電池と
を備える請求項１〜６のいずれか１項に記載の電子機器。
【請求項８】
電子機器の本体から取り外して、前記本体を遠隔操作する装置であって、
前記本体から取り外されたことを判定する第１判定手段と、
前記装置の姿勢を検出する検出手段と、
前記検出手段が検出した前記装置の姿勢に基づいて、前記装置の傾き量を算出する算出手段と、
前記装置の傾き量と、あらかじめ設定された閾値とを比較することによって、前記装置をユーザが使用しているかを判定する第２判定手段と、
前記第２判定手段が判定した結果、前記装置の傾き量が、前記閾値以上である場合に、前記装置の電源の供給を制御する制御手段と
を含む装置。
【請求項９】
電子機器の遠隔操作が可能で、かつ前記電子機器の本体からの取り外しが可能な操作部を備える電子機器の制御方法であって、
前記本体から取り外されたことを判定する第１判定ステップと、
前記操作部の姿勢を検出するステップと、
前記検出するステップにおいて検出した前記操作部の姿勢に基づいて、前記操作部の傾き量を算出するステップと、
前記操作部の傾き量と、あらかじめ設定された閾値とを比較することによって、前記操作部をユーザが使用しているかを判定する第２判定ステップと、
前記第２判定ステップにおいて、前記操作部の傾き量が、前記閾値以上であると判定した場合に、前記操作部の電源の供給を制御するステップと
を含む制御方法。
【請求項１０】
前記制御するステップは、
前記第２判定ステップにおいて、前記操作部の傾き量が、前記閾値よりも小さい場合に、前記操作部の電源を遮断する、
請求項９に記載の制御方法。
【発明の詳細な説明】
【技術分野】
【０００１】
本発明は、電子機器、装置および制御方法に関する。
【背景技術】
【０００２】
近年、エネルギーを節約する要請から、電子機器の消費電力を節約する技術の開発が進められている。
【０００３】
例えば、特許第５２３７７２９号公報（特許文献１）には、画像形成装置における消費電力を低減するために、画像形成装置に太陽電池を設けると共に、該太陽電池の出力を監視する構成が開示されている。
【０００４】
特許文献１によれば、太陽電池によって発電することから、消費電力を節約することができる。また、太陽電池の出力によって人の有無を検知することで、装置の動作モードを切り替えることができるので、さらに消費電力を低減することができる。
【０００５】
ところで、ワイヤレス技術の向上に伴い、電子機器同士を無線によって接続し、通信する技術が普及している。電子機器の接続のワイヤレス化の例として、特開２０１５−１４２３９３号公報（特許文献２）では、画像形成装置と操作部とをワイヤレス接続する技術が開示されている。
【０００６】
特許文献２には、画像形成装置から取り外しが可能な操作部において、太陽電池と、その発電量を検出する手段と、装置から取り外されたことを検出する手段を備える構成が開示されている。特許文献２によれば、操作部が、画像形成装置から取り外されたことを検知することができ、操作部への電力供給の確実性を向上することができる。
【０００７】
一方で、特許文献２に記載の操作部は、画像形成装置から取り外されると、電力のリソースが限られているため、よりシビアな節電が求められることになる。この点につき、特許文献１の構成を鑑みても、太陽電池の出力に依拠した制御であるため、ユーザが操作部を持ち運ぶと、ユーザ自身が太陽電池の影となることがあるため、適切な動作モードの切り替えが行えない可能性がある。したがって、操作部の状態を確実に検知して、節電する技術が求められていた。
【発明の概要】
【発明が解決しようとする課題】
【０００８】
本発明は、上記従来技術における課題に鑑みてなされたものであり、取り外し可能な操作部の電力消費を低減し、操作性が向上した電子機器、装置および制御方法を提供することを目的とする。
【課題を解決するための手段】
【０００９】
すなわち、本発明によれば、本体と、前記本体の遠隔操作が可能で、かつ前記本体からの取り外しが可能である操作部とを含む電子機器であって、
前記操作部は、
前記本体から取り外されたことを判定する第１判定手段と、
前記操作部の姿勢を検出する第１検出手段と、
前記第１検出手段が検出した前記操作部の姿勢に基づいて、前記操作部の傾き量を算出する算出手段と、
前記操作部の傾き量と、あらかじめ設定された閾値とを比較することによって、前記操作部をユーザが使用しているかを判定する第２判定手段と、
前記第２判定手段が判定した結果、前記操作部の傾き量が、前記閾値以上である場合に、前記操作部の電源の供給を制御する制御手段と
を含む電子機器が提供される。
【発明の効果】
【００１０】
上述したように、本発明によれば、取り外し可能な操作部の電力消費を低減し、操作性が向上した電子機器、装置および制御方法が提供される。
【図面の簡単な説明】
【００１１】
【図１】本発明の実施形態における画像形成装置の例を示す図。
【図２】本発明の各実施形態における画像形成装置のハードウェア構成を示す図。
【図３】本発明の各実施形態における画像形成装置のソフトウェアブロック図。
【図４】第１の実施形態における処理を示すフローチャート。
【図５】第２の実施形態における処理を示すフローチャート。
【図６】第３の実施形態における処理を示すフローチャート。
【図７】第４の実施形態における処理を示すフローチャート。
【図８】第５の実施形態における処理を示すフローチャート。
【図９】第６の実施形態における処理を示すフローチャート。
【発明を実施するための形態】
【００１２】
以下、本発明を、実施形態をもって説明するが、本発明は後述する実施形態に限定されるものではない。なお、以下に参照する各図においては、共通する要素について同じ符号を用い、適宜その説明を省略するものとする。また、以下の実施形態の説明では、電子機器の例として、画像形成装置で以て説明しているが、本発明の電子機器は、画像形成装置に限定するものではない。
【００１３】
図１は、本発明の実施形態における画像形成装置１００の例を示す図である。画像形成装置１００は、本体２００から、操作部３００を取り外すことができ、図１（ａ）は、操作部３００が取り付けられている場合を、図１（ｂ）は、操作部３００が取り外されている場合を、それぞれ示している。
【００１４】
本実施形態における画像形成装置１００は、例えば、ＭＦＰ（Multi-Function Peripheral）のような装置を想定しており、パソコンなどの端末からの印刷ジョブの実行、原稿の取り込みやコピー、ファックスの送受信などの機能を備えている。したがって、本体２００は、スキャナやネットワーク通信を行うインターフェース、印刷画像を印刷媒体に定着させる印刷エンジンなどを備える。
【００１５】
また、操作部３００は、上述の各種機能を実行するために、印刷枚数や、スキャンの画質、ファックスの送信先などを設定したり、機能の進捗状況などの情報を表示したりできる。このような機能を持つ操作部３００を、本体２００から取り外すことで、本体２００から離れた場所においても、画像形成装置１００の各機能を実行することができるので、ユーザの利便性は向上する。
【００１６】
次に、画像形成装置１００に含まれるハードウェアについて説明する。図２は、本発明の各実施形態における画像形成装置１００のハードウェア構成を示す図である。画像形成装置１００は、本体２００と操作部３００とを含み、さらに、本体２００は、電源制御部２１０と、画像形成部２２０とを含む。以下に、各ハードウェアについて、詳細に説明する。
【００１７】
電源制御部２１０は、本体電源２１１を含み、画像形成装置１００の電力供給を制御する。具体的には、本体電源２１１は、例えば、コンセントからＡＣ１００Ｖを受け、各ハードウェアを駆動するための電圧に変換し、変換した電圧を、本体２００の画像形成部２２０や、操作部３００に供給する。
【００１８】
本体２００の画像形成部２２０には、本体ＣＰＵ２２１、本体メモリ２２２、ＨＤＤ２２３、印刷エンジン２２４が含まれる。本体ＣＰＵ２２１は、画像形成装置１００の本体２００の動作を制御するプログラムを実行する装置である。本体メモリ２２２は、本体ＣＰＵ２２１が実行するプログラムの実行空間を提供するための一時的な記憶装置であり、プログラムやデータの格納用、展開用として使用される。また、本体メモリ２２２は、本体ＣＰＵ２２１がプログラムを実行することによって、印刷ジョブの画像データを形成することができる。
【００１９】
ＨＤＤ２２３は、本体メモリ２２２が形成した画像データや、画像形成装置１００を機能させるための各種プログラム、設定項目などを記憶するための記憶装置である。印刷エンジン２２４は、用紙などに画像データを形成するための装置であり、例えば、用紙を搬送する搬送装置、画像データを用紙に定着させる定着装置などが含まれる。
【００２０】
次に、操作部３００のハードウェアについて説明する。操作部３００には、操作部ＣＰＵ３０１、操作部メモリ３０２、操作部電源３０３、発電装置３０４、操作部電源３０３、センサ３０５、画面３０６、通信Ｉ／Ｆ３０７、入力Ｉ／Ｆ３０８が含まれる。
【００２１】
操作部ＣＰＵ３０１は、操作部３００の動作を制御するプログラムを実行する装置である。なお、操作部３００が本体２００に取り付けられている場合には、本体ＣＰＵ２２１が、操作部３００の動作を制御してもよい。
【００２２】
操作部メモリ３０２は、本体メモリ２２２と同様に、操作部ＣＰＵ３０１が実行するプログラムの実行空間を提供するための一時的な記憶装置であり、プログラムやデータの格納用、展開用として使用される。
【００２３】
操作部電源３０３は、操作部３００が本体２００から取り外されている場合にも電力の供給を可能とするために、電力を充電する二次電池である。操作部電源３０３への充電は、本体電源２１１や、発電装置３０４から行われ、操作部３００が本体２００から取り外された場合は、操作部電源３０３は、各ハードウェアに電力を供給する。
【００２４】
発電装置３０４は、操作部３００が本体２００から取り外されている場合にも電力の供給を可能とするために、外力によって発電する装置である。発電装置の例としては、太陽電池や、圧電素子などが挙げられるが、これらに限定するものではない。なお、以下の実施例の説明においては、発電装置３０４を太陽電池として説明する。
【００２５】
センサ３０５は、操作部３００の状態を取得するための装置であり、センサ３０５が取得した状態に基づいて、操作部３００を制御する。例えば、姿勢センサ３０５ａは、ジャイロセンサのような角速度センサであって、操作部３００の傾きなどを検出することができ、これによって、操作部３００の電力の供給などを制御することができる。また、照度センサ３０５ｂが、操作部３００の周囲の明るさを検出することによって、画面３０６の輝度や色味などを制御することができる。
【００２６】
画面３０６は、画像形成装置１００の状態などを表示するための装置であり、一例として、液晶ディスプレイが挙げられる。ユーザは、画面３０６を見ることで、画像形成装置の状態を知ったり、状態の操作をしたりできる。
【００２７】
通信Ｉ／Ｆ３０７は、操作部３００が本体２００から取り外された場合に、操作部３００と、本体２００とを通信するための装置である。通信は、赤外線、Ｂｌｕｅｔｏｏｔｈ（登録商標）、Ｗｉ−ｆｉ（登録商標）などの無線によって行われ、操作部３００が本体２００に取り付けられている状態と同じように遠隔操作することができる。
【００２８】
入力Ｉ／Ｆ３０８は、印刷枚数や印刷画質など、各種設定を入力する装置であり、ユーザのキー操作によって入力を受け付ける。なお、入力Ｉ／Ｆ３０８は、画面３０６の構成と併せて、タッチパネルディスプレイとしてもよい。
【００２９】
以上、画像形成装置１００に含まれるハードウェア構成について説明した。次に、画像形成装置１００の各ハードウェアによって実行される機能手段について、図３によって説明する。図３は、本発明の各実施形態における画像形成装置１００のソフトウェアブロック図である。
【００３０】
画像形成装置１００の本体２００には、電源制御部２１０と、画像形成部２２０が含まれる。電源制御部２１０は、画像形成装置１００の電力の供給を制御する手段であり、画像形成部２２０や、操作部３００に電力を供給する。また、画像形成部２２０は、印刷エンジン２２４などによって、印刷物を出力する手段である。
【００３１】
画像形成装置１００の操作部３００には、取り外し判定部３１０、傾き検出部３２０、傾き量算出部３３０、閾値判定部３４０、照度検出部３５０、操作部電源制御部３６０、表示部３７０、表示部調整部３８０が含まれる。
【００３２】
取り外し判定部３１０は、操作部３００が本体２００から取り外されているかを判定する手段である。取り外しの判定には、例えば、本体電源２１１からの電力供給の有無などに基づいて行うことができる。
【００３３】
傾き検出部３２０は、姿勢センサ３０５ａの出力に基づいて、本体２００から取り外された操作部３００の傾きを検出する手段である。操作部３００の傾きが閾値以上である場合には、ユーザが操作部３００を取り外して操作していると判定して、操作部３００の動作を制御することができる。
【００３４】
なお、ユーザが操作部３００を取り外して使用しているか否かの判定は、傾きの時間的な変化に基づいて判定してもよい。例えば、長時間にわたって傾きの変化がない場合には、ユーザは操作部３００を使用していない状況であると判定することができる。
【００３５】
傾き量算出部３３０は、傾き検出部３２０が操作部３００の傾きを検出した場合の、傾き量を算出する手段である。傾き量は、姿勢センサ３０５ａの出力から算出することができ、傾き量を算出することで、閾値判定部３４０は、ユーザが操作部を使用しているか否かを判定することができる。
【００３６】
閾値判定部３４０は、傾き量算出部３３０が算出した傾き量と、あらかじめ設定された閾値とを比較し、操作部３００の電源の供給または遮断を判定する手段である。例えば、算出した傾き量が、ほぼ水平であれば、ユーザが操作部３００を使用している蓋然性は低いと判定することができる。一方、算出した傾き量が、閾値よりも大きい場合には、ユーザが操作部３００を使用している蓋然性が高いと判定することができる。なお、判定の基準となる閾値は、ユーザによって、任意の値を設定することができる。
【００３７】
照度検出部３５０は、照度センサ３０５ｂの出力に基づいて、操作部３００の周囲の明るさを検出する手段である。照度検出部３５０が周囲の明るさを検出することによって、画面３０６の輝度や色味などを調整することができ、ユーザにとっての見やすさを向上することができる。
【００３８】
操作部電源制御部３６０は、取り外し判定部３１０の判定結果や、傾き検出部３２０、閾値判定部３４０、照度検出部３５０の出力に基づいて、操作部３００の電力の供給源を選択し、各種ハードウェアへの電力供給を制御する手段である。例えば、操作部３００が本体２００に取り付けられている場合には、操作部３００は本体電源２１１から電力の供給を受ける。
【００３９】
また、操作部３００が本体２００から取り外された場合には、姿勢センサ３０５ａが操作部３００の傾きを検出することで、操作部３００の使用状況を判定する。さらに、操作部３００が本体２００から取り外され、かつ、一定時間にわたって傾きが変化していない場合には、電源の供給を遮断することで、操作部電源３０３の消費を節約することができる。
【００４０】
表示部３７０は、ユーザに提供する情報を画面３０６に表示する手段である。表示部３７０は、バックライトの点灯または消灯、輝度、色味などを制御することができ、表示部調整部３８０によって、これらの設定項目を調整することができる。
【００４１】
表示部調整部３８０は、画面３０６の表示を調整する手段であり、バックライト制御部３８１、輝度制御部３８２、色味制御部３８３を含む。本体２００から取り外された操作部３００は、電力のリソースに限りがあるため、ユーザの使用状況に応じて、バックライトの点灯や消灯を制御することで、操作部電源３０３の消費を節約することができる。
【００４２】
また、画面３０６の輝度や色味は、周囲の明るさによって、ユーザの感じ方が変化し、見やすさや眼の疲労などに影響する。したがって、照度検出部３５０が検出した明るさに応じて、画面３０６の輝度や色味を調整することで、快適な操作環境を提供することができる。
【００４３】
なお、上述した各実施形態に示したソフトウェアブロックは、ＣＰＵが本実施形態のプログラムを実行することにより、各ハードウェアを機能させることにより、実現される機能手段に相当する。また、各実施形態に示した機能手段は、全部がソフトウェア的に実現されても良いし、その一部または全部を同等の機能を提供するハードウェアとして実装することもできる。
【００４４】
ここまで、本発明の実施形態における画像形成装置１００の構成について説明した。以下では、本発明の制御方法における各実施形態について、フローチャートを基に、より具体的な実施例によって説明する。なお、各フローチャートにおいて、共通する処理については、適宜その説明を省略する。まず、制御方法の第１の実施形態について説明する。図４は、第１の実施形態における処理を示すフローチャートである。
【００４５】
図４では、画像形成装置１００の電源の投入などによって、処理を開始する（ステップＳ１０００）。操作部３００が本体２００に取り付けられている間は、本体電源２１１から操作部電源３０３に電力が供給される（ステップＳ１００１）。また、この間に、太陽電池が外光によって発電し、操作部電源３０３に充電する（ステップＳ１００２）。なお、操作部電源３０３への充電は、太陽電池からに限らず、本体電源２１１から充電してもよい。
【００４６】
その後、ステップＳ１００３で、ユーザが操作部３００を本体２００から取り外すと、取り外し判定部３１０が、操作部３００と本体２００との接続状態を判定する。操作部３００が本体２００から取り外された場合には、ステップＳ１００４で、操作部電源制御部３６０が、操作部３００の電力の供給源を、操作部電源３０３に切り替る。なお、操作部電源３０３は、電力を供給している場合でも、常時、太陽電池が発電した電力を充電することができる。
【００４７】
また、ステップＳ１００５では、傾き検出部３２０が、姿勢センサ３０５ａの出力に基づいて操作部３００の傾きを検出し、ステップＳ１００６で、操作部３００の傾き量が、あらかじめ設定された閾値以上であるか否かを判定する。傾き量が閾値よりも小さい場合には（ＮＯ）、ステップＳ１００５に戻り、傾きの検出を繰り返す。傾き量が閾値以上の場合には（ＹＥＳ）、ステップＳ１００７に進む。
【００４８】
ステップＳ１００６で、操作部３００の傾き量が閾値以上であると判定された場合には、ユーザが操作部３００を持ち運んで使用している蓋然性高いことから、ステップＳ１００７で、操作部３００の電源を自動で供給する制御を行う。その後、ステップＳ１００８で、処理を終了する。
【００４９】
上述した第１の実施形態の処理によって、本体２００から取り外された操作部３００の使用状況に応じた電源の供給制御を行うことができ、操作部電源３０３の消費電力を節約することができる。
【００５０】
次に、制御方法の第２の実施形態について、図５を以て説明する。図５は、第２の実施形態における処理を示すフローチャートである。第２の実施形態は、第１の実施形態と同様に、操作部３００の電源に関する処理である。
【００５１】
図５のステップＳ２０００からＳ２００５までの処理は、図４のステップＳ１０００からＳ１００５までの処理と同一であるので、詳細は省略する。
【００５２】
ステップＳ２００６で、操作部３００の傾き量を判定し、閾値以上であれば（ＹＥＳ）、ステップＳ２００７に進む。ステップＳ２００７の処理は、ステップＳ１００７と同じ処理である。
【００５３】
ステップＳ２００６で、傾き量が閾値より小さいと判定した場合には（ＮＯ）、ステップＳ２００８に進む。この場合、操作部３００は本体２００から取り外されているが、ユーザが操作部３００を使用している蓋然性は低いと考えられる。したがって、ステップＳ２００８では、操作部３００の電源を自動で遮断する制御を行う。
【００５４】
ステップＳ２００７またはＳ２００８の後は、ステップＳ２００９に進み、処理を終了する。
【００５５】
上述した第２の実施形態の処理によって、本体２００から取り外された操作部３００の使用状況に応じて、電源の自動供給制御または自動遮断制御を選択して行うことができ、操作部電源３０３の消費電力を節約することができる。
【００５６】
次に、制御方法の第３の実施形態について説明する。図６は、第３の実施形態における処理を示すフローチャートである。第３の実施形態では、本体２００から取り外された操作部３００の傾きに応じて、画面３０６のバックライトの点制御を行う。
【００５７】
図６のステップＳ３０００からＳ３００５までの処理は、図４のステップＳ１０００からＳ１００５までの処理と同一であるので、詳細は省略する。
【００５８】
ステップＳ３００６で、操作部３００の傾き量が閾値より小さいと判定された場合には（ＮＯ）、ステップＳ３００５に戻り、傾きの検出を繰り返す。
【００５９】
ステップＳ３００６で、操作部３００の傾き量が閾値以上であると判定された場合には（ＹＥＳ）、ステップＳ３００７に進み、バックライト制御部３８１は、操作部３００の画面３０６のバックライトを点灯する。その後、ステップＳ３００８で、処理を終了する。
【００６０】
上述した第３の実施形態の処理によって、本体２００から取り外された操作部３００の使用状況に応じて、画面３０６のバックライトの点灯制御を行うことができ、操作部電源３０３の消費電力を節約することができる。
【００６１】
次に、制御方法の第４の実施形態について、図７を以て説明する。図７は、第４の実施形態における処理を示すフローチャートである。第４の実施形態は、第３の実施形態と同様に、操作部３００の画面３０６のバックライトに関する処理である。
【００６２】
図７のステップＳ４０００からＳ４００５までの処理は、図６のステップＳ３０００からＳ３００５までの処理と同一であるので、詳細は省略する。
【００６３】
ステップＳ４００６で、操作部３００の傾き量を判定し、閾値以上であれば（ＹＥＳ）、ステップＳ４００７に進む。ステップＳ４００７の処理は、ステップＳ３００７と同じ処理である。
【００６４】
ステップＳ４００６で、傾き量が閾値より小さいと判定した場合には（ＮＯ）、ステップＳ４００８に進む。この場合、第２の実施形態におけるステップＳ２００８と同様に、操作部３００は本体２００から取り外されているが、ユーザが操作部３００を使用している蓋然性は低いと考えられる。したがって、ステップＳ４００８では、操作部３００の画面３０６のバックライトを消灯する処理を行う。
【００６５】
ステップＳ４００７またはＳ４００８の後は、ステップＳ４００９に進み、処理を終了する。
【００６６】
上述した第４の実施形態の処理によって、本体２００から取り外された操作部３００の使用状況に応じて、操作部３００の画面３０６のバックライトの点灯または消灯を選択して行うことができ、操作部電源３０３の消費電力を節約することができる。
【００６７】
次に、制御方法の第５の実施形態について説明する。図８は、第５の実施形態における処理を示すフローチャートである。第５の実施形態では、本体２００から取り外された操作部３００について、周囲の明るさに応じて、画面３０６の輝度を調整する。
【００６８】
図８のステップＳ５０００からＳ５００５までの処理は、図４のステップＳ１０００からＳ１００５までの処理と同一であるので、詳細は省略する。
【００６９】
ステップＳ５００６で、操作部３００の傾き量が閾値より小さいと判定された場合には（ＮＯ）、ステップＳ５００５に戻り、傾きの検出を繰り返す。
【００７０】
ステップＳ５００６で、操作部３００の傾き量が閾値以上であると判定された場合には（ＹＥＳ）、ステップＳ５００７に進み、照度検出部３５０が、照度センサ３０５ｂの出力に基づいて、周囲の明るさを検出する。
【００７１】
その後、ステップＳ５００８で、検出した明るさに応じて、輝度制御部３８２が、画面３０６の輝度を制御し、ステップＳ５００９で、処理を終了する。画面３０６の輝度は、周囲が明るい場合には、輝度を高くし、周囲が暗い場合には、輝度を低くする。
【００７２】
上述した第５の実施形態の処理によって、本体２００から取り外された操作部３００の周囲の環境に応じた輝度の調整を行うことができ、ユーザにとっての画面３０６の見やすさを向上することができる。
【００７３】
次に、制御方法の第６の実施形態について説明する。図９は、第６の実施形態における処理を示すフローチャートである。第６の実施形態では、本体２００から取り外された操作部３００について、周囲の明るさに応じて、画面３０６の色味を調整する。
【００７４】
図９のステップＳ６０００からＳ６００５までの処理は、図８のステップＳ５０００からＳ５００５までの処理と同一であるので、詳細は省略する。
【００７５】
ステップＳ６００６で、操作部３００の傾き量が閾値より小さいと判定された場合には（ＮＯ）、ステップＳ６００５に戻り、傾きの検出を繰り返す。
【００７６】
ステップＳ６００６で、操作部３００の傾き量が閾値以上であると判定された場合には（ＹＥＳ）、ステップＳ６００７に進み、照度検出部３５０が、照度センサ３０５ｂの出力に基づいて、周囲の明るさを検出する。なお、ステップＳ６００７の処理は、ステップＳ５００７の処理と同じである。
【００７７】
その後、ステップＳ６００８で、検出した明るさに応じて、色味制御部３８３が、画面３０６の色味を制御し、ステップＳ６００９で、処理を終了する。画面３０６の色味は、周囲が明るい場合には、通常状態よりも色味を暗くし、周囲が暗い場合には、通常状態よりも色味を明るくする。
【００７８】
上述した第６の実施形態の処理によって、本体２００から取り外された操作部３００の周囲の環境に応じた色味の調整を行うことができ、ユーザにとっての画面３０６の見やすさを向上することができる。
【００７９】
以上、説明した本発明の各実施形態によれば、取り外し可能な操作部の電力消費を低減し、操作性が向上した電子機器、装置および制御方法を提供することができる。
【００８０】
上述した本発明の実施形態の各機能は、Ｃ、Ｃ＋＋、Ｃ＃、Ｊａｖａ（登録商標）等で記述された装置実行可能なプログラムにより実現でき、本実施形態のプログラムは、ハードディスク装置、ＣＤ−ＲＯＭ、ＭＯ、ＤＶＤ、フレキシブルディスク、ＥＥＰＲＯＭ、ＥＰＲＯＭ等の装置可読な記録媒体に格納して頒布することができ、また他装置が可能な形式でネットワークを介して伝送することができる。
【００８１】
以上、本発明について実施形態をもって説明してきたが、本発明は上述した実施形態に限定されるものではなく、当業者が推考しうる実施態様の範囲内において、本発明の作用・効果を奏する限り、本発明の範囲に含まれるものである。したがって、説明した各実施形態を組み合わせた場合であっても、本発明の範囲に含まれる。
【符号の説明】
【００８２】
１００…画像形成装置、２００…本体、２１０…電源制御部、２１１…本体電源、２２０…画像形成部、２２１…本体ＣＰＵ、２２２…本体メモリ、２２３…ＨＤＤ、２２４…印刷エンジン、３００…操作部、３０１…操作部ＣＰＵ、３０２…操作部メモリ、３０３…操作部電源、３０４…発電装置、３０５…センサ、３０５ａ…姿勢センサ、３０５ｂ…照度センサ、３０６…画面、３０７…通信Ｉ／Ｆ、３０８…入力Ｉ／Ｆ、３１０…取り外し判定部、３２０…傾き検出部、３３０…傾き量算出部、３４０…閾値判定部、３５０…照度検出部、３６０…操作部電源制御部、３７０…表示部、３８０…表示部調整部、３８１…バックライト制御部、３８２…輝度制御部、３８３…色味制御部
【先行技術文献】
【特許文献】
【００８３】
【特許文献１】特許第５２３７７２９号公報
【特許文献２】特開２０１５−１４２３９３号公報
【図１】
2018013907.tif 000003
【図２】
2018013907.tif 000004
【図３】
2018013907.tif 000005
【図４】
2018013907.tif 000006
【図５】
2018013907.tif 000007
【図６】
2018013907.tif 000008
【図７】
2018013907.tif 000009
【図８】
2018013907.tif 000010
【図９】
2018013907.tif 000011